【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
一組のコネクタ・プラグのうちの１つとの選択的な相互接続を可能にするためのレセプタクルであって、前記一組のコネクタ・プラグのうちのそれぞれのコネクタ・プラグは前方端部内に形成された固有の空洞鍵掛け形状を有する空洞と前記空洞内に配置されている光ファイバ・フェルールとを備え、前記レセプタクルが、
その後面壁にあるボスを受ける高くしたフェルールを備え、前記ボスは複数の固有のボス鍵掛け形状のうちの選択された１つに対応する形を有し、固有の空洞鍵掛け形状のそれぞれは前記固有のボス鍵掛け形状のうちの１つに対応する、少なくとも１つのレセプタクル・ソケットを備え、
前記選択されたボス鍵掛け形状が、前記固有の空洞鍵掛け形状に対応している場合に、前記ボスが前記空洞内に受けられ、前記フェルールが前記ボス内に挿入されるときに、前記コネクタ・プラグを前記レセプタクル・ソケットに挿入することができる、レセプタクル。
【請求項２】
前記ボスが同心部分及び鍵掛け部分を備える、請求項１に記載のレセプタクル。
【請求項３】
前記同心部分が円形の断面を有する、請求項２に記載のレセプタクル。
【請求項４】
前記鍵掛け部分が少なくとも１つの隆起部を備える、請求項２に記載のレセプタクル。
【請求項５】
前記隆起部が面取りされた外側表面を備える、請求項４に記載のレセプタクル。
【請求項６】
前記ボス同心部分が上側整列部分をさらに備える、請求項４に記載のレセプタクル。
【請求項７】
前記隆起部が前記上側整列部分の高さより小さい高さを有する、請求項６に記載のレセプタクル。
【請求項８】
前記隆起部が前記上側整列部分の実質的に半分の高さを有する、請求項７に記載のレセプタクル。
【請求項９】
前記少なくとも１つの隆起部がうねである、請求項４に記載のレセプタクル。
【請求項１０】
前記ボス鍵掛け部分が少なくとも１つのくぼみを備える、請求項２に記載のレセプタクル。
【請求項１１】
前記少なくとも１つのくぼみが前記同心部分の高さより小さい深さを有する、請求項１０に記載のレセプタクル。
【請求項１２】
前記くぼみの深さが実質的に前記同心部分の高さの半分である、請求項１１に記載のレセプタクル。
【請求項１３】
前記少なくとも１つのくぼみが刻み目である、請求項１０に記載のレセプタクル。
【請求項１４】
前記ボス鍵掛け部分が少なくとも１つの隆起部及び少なくとも１つのくぼみを備える、請求項２に記載のレセプタクル。
【請求項１５】
前記ボスが上側整列部分をさらに備える、請求項４に記載のレセプタクル。
【請求項１６】
前記鍵掛け部分が前記同心部分の中心の周りにあらかじめ定められた角度で配置される、請求項２に記載のレセプタクル。
【請求項１７】
前記あらかじめ定められた角度が０°、４５°、９０°、１３５°、１８０°、２２５°、２７０°、及び３１５°からなる群から選択される、請求項１６に記載のレセプタクル。
【請求項１８】
前記フェルールが前記空洞と同軸であり、前記開口部が前記ボスと同軸である、請求項１に記載のレセプタクル。
【請求項１９】
前記少なくとも１つのレセプタクル・ソケットがＬＣ型コネクタ・プラグを受けるようになされている、請求項１に記載のレセプタクル。
【請求項２０】
前記少なくとも１つのレセプタクル・ソケットがＭＵ型コネクタ・プラグを受けるようになされている、請求項１に記載のレセプタクル。
【請求項２１】
前記少なくとも１つのレセプタクル・ソケットがＦＣ型コネクタ・プラグを受けるようになされている、請求項１に記載のレセプタクル。
【請求項２２】
前記ボス形状が、前記レセプタクル・ソケット内に鍵なしのコネクタ・プラグを挿入できるようなものである、請求項１に記載のレセプタクル。
【請求項２３】
一組のレセプタクル・ソケットのうちの１つとの選択的な相互接続を可能にするための、光ファイバを終端させるコネクタであって、前記一組のレセプタクル・ソケットのうちのそれぞれのレセプタクル・ソケットは固有のボス鍵掛け形状を有するその後面壁でボスを受ける高くしたフェルールを備え、前記コネクタが、
前記一組のレセプタクル・ソケット内に挿入するようになされ、空洞を備えるコネクタ・プラグであって、前記空洞がその前方端部に形成される複数の固有の空洞鍵掛け形状のうちの選択された１つと前記空洞内に配置された光ファイバ・フェルールとを有し、それぞれの固有のボス鍵掛け形状が前記固有の空洞鍵掛け形状のうちのそれぞれ１つに対応するコネクタ・プラグを備え、且つ
前記固有のボス鍵掛け形状が、前記選択された空洞鍵掛け形状に対応する場合に、前記ボスが前記空洞内に受けられ、前記フェルールが前記ボス内に挿入されるときに、前記コネクタ・プラグを前記レセプタクル・ソケットに挿入することができる、コネクタ。
【請求項２４】
前記空洞が同心部分及び鍵掛け部分を備える、請求項２３に記載のコネクタ。
【請求項２５】
前記同心部分が円形の断面を有する、請求項２４に記載のコネクタ。
【請求項２６】
前記鍵掛け部分が少なくとも１つのくぼみを備える、請求項２４に記載のコネクタ。
【請求項２７】
前記同心部分が整列部分をさらに備える、請求項２６に記載のコネクタ。
【請求項２８】
前記くぼみの深さが前記整列部分の深さより浅い、請求項２７に記載のコネクタ。
【請求項２９】
前記くぼみの深さが実質的に前記整列部分の深さの半分である、請求項２８に記載のコネクタ。
【請求項３０】
前記鍵掛け部分が少なくとも１つの隆起部を備える、請求項２４に記載のコネクタ。
【請求項３１】
前記隆起部が面取りされている、請求項３０に記載のコネクタ。
【請求項３２】
前記同心部分が整列部分をさらに備える、請求項３０に記載のコネクタ。
【請求項３３】
前記隆起部の高さが前記整列部分の深さより小さい、請求項３２に記載のコネクタ。
【請求項３４】
前記隆起部の高さが実質的に前記整列部分の深さの半分である、請求項３３に記載のコネクタ。
【請求項３５】
前記少なくとも１つのくぼみが刻み目である、請求項２６に記載のコネクタ。
【請求項３６】
前記少なくとも１つの隆起部がうねである、請求項３０に記載のコネクタ。
【請求項３７】
前記鍵掛け部分が少なくとも１つの隆起部及び少なくとも１つのくぼみを備える、請求項２３に記載のコネクタ。
【請求項３８】
前記鍵掛け部分が前記同心部分の中心の周りにあらかじめ定められた角度で配置される、請求項２４に記載のコネクタ。
【請求項３９】
前記あらかじめ定められた角度が０°、４５°、９０°、１３５°、１８０°、２２５°、２７０°、及び３１５°からなる群から選択される、請求項３８に記載のコネクタ。
【請求項４０】
前記コネクタ・プラグがＬＣ型コネクタ・プラグである、請求項２３に記載のコネクタ。
【請求項４１】
前記コネクタ・プラグがＭＵ型コネクタ・プラグである、請求項２３に記載のコネクタ。
【請求項４２】
前記コネクタ・プラグがＦＣ型コネクタ・プラグである、請求項２３に記載のコネクタ。
【請求項４３】
前記コネクタ鍵掛け形状が、従来のレセプタクル・ソケット内に前記コネクタ・プラグを挿入できるようなものである、請求項２３に記載のコネクタ。
【請求項４４】
レセプタクル・ソケットと光ファイバを終端させるコネクタ・プラグとの間の選択的な相互接続を可能にする鍵掛けシステムであって、前記コネクタ・プラグは前記レセプタクル・ソケット内に挿入するようになされ、前記鍵掛けシステムが、
複数のあらかじめ定められたボス鍵掛け形状のうちの１つに形状が決められている高くしたボスと、
複数のあらかじめ定められた空洞鍵掛け形状のうちの１つに形状が決められている空洞とを備え、
前記ボスは、前記レセプタクル・ソケット内にあり、前記空洞は、コネクタ・プラグの前方端部内にあり、
前記あらかじめ定められたボス鍵掛け形状の少なくとも１つは、前記あらかじめ定められたコネクタ鍵掛け形状の少なくとも１つと一致し、
前記ボス鍵掛け形状が前記空洞鍵掛け形状と一致するとき、前記ボスを前記空洞内に挿入することができ、それによって前記コネクタ・プラグを前記レセプタクル・ソケットに相互接続させる、鍵掛けシステム。
【請求項４５】
前記ボスが同心部分及び鍵掛け部分を備え、前記空洞が同心部分及び鍵掛け部分を備える、請求項４４に記載の鍵掛けシステム。
【請求項４６】
前記ボスの同心部分及び前記空洞の同心部分が実質的に同じ直径の円形断面を有する、請求項４５に記載の鍵掛けシステム。
【請求項４７】
前記ボス鍵掛け部分が少なくとも１つの隆起部を備え、前記空洞鍵掛け部分が少なくとも１つのくぼみを備える、請求項４５に記載の鍵掛けシステム。
【請求項４８】
前記少なくとも１つの隆起部が面取りされた外側表面を備える、請求項４７に記載の鍵掛けシステム。
【請求項４９】
前記ボス鍵掛け部分が少なくとも１つのくぼみを備え、前記空洞鍵掛け部分が少なくとも１つの隆起部を備える、請求項４５に記載の鍵掛けシステム。
【請求項５０】
前記少なくとも１つの隆起部がうねであり、前記少なくとも１つのくぼみが刻み目である、請求項４７に記載の鍵掛けシステム。
【請求項５１】
前記少なくとも１つの隆起部がうねであり、前記少なくとも１つのくぼみが刻み目である、請求項４９に記載の鍵掛けシステム。
【請求項５２】
前記ボス鍵掛け部分が少なくとも１つの隆起部及び少なくとも１つのくぼみを備える、請求項４５に記載の鍵掛けシステム。
【請求項５３】
前記空洞鍵掛け部分が少なくとも１つの隆起部及び少なくとも１つのくぼみを備える、請求項４５に記載の鍵掛けシステム。
【請求項５４】
前記ボス同心部分が上側整列部分をさらに備え、前記空洞同心部分が内側整列部分をさらに備える、請求項４７に記載の鍵掛けシステム。
【請求項５５】
前記隆起部が前記くぼみの深さと実質的に等しい高さを有する、請求項４７に記載の鍵掛けシステム。
【請求項５６】
前記鍵掛け部分が前記同心部分の中心の周りにあらかじめ定められた角度で配置される、請求項４５に記載の鍵掛けシステム。
【請求項５７】
前記あらかじめ定められた角度が０°、４５°、９０°、１３５°、１８０°、２２５°、２７０°、及び３１５°からなる群から選択される、請求項５６に記載の鍵掛けシステム。
【請求項５８】
前記レセプタクル・ソケットがその後面壁に開口部をさらに備え、前記ボスが軸をさらに備え、前記開口部が前記軸を受けるようになされている、請求項４４に記載の鍵掛けシステム。
【請求項５９】
前記軸が前記開口部内に接着剤を使用して固定される、請求項５８に記載の鍵掛けシステム。
【請求項６０】
前記開口部が第１の形状を備え、前記軸が前記開口部内に受けられるときに前記軸が前記開口部内で回転すること防止するように、前記第１の形状に一致するようになされた第２の形状を前記軸が備える、請求項５８に記載の鍵掛けシステム。
【請求項６１】
前記第１及び第２の形状が、それによって複数のあらかじめ定められた鍵掛け角度の１つで、前記開口部内に前記軸を挿入することができるように標準どおりである、請求項６０に記載の鍵掛けシステム。
【請求項６２】
前記あらかじめ定められた角度が０°、４５°、９０°、１３５°、１８０°、２２５°、２７０°、及び３１５°からなる群から選択される、請求項６１に記載の鍵掛けシステム。
【請求項６３】
前記第１及び第２の形状が三角形、正方形、六角形、及び八角形からなる群から選択される、請求項６１に記載の鍵掛けシステム。
【請求項６４】
前記第１及び第２の形状が一連の等間隔の溝及びうねから構成される、請求項６１に記載の鍵掛けシステム。
【請求項６５】
前記第１及び第２の形状がそれぞれ８つの溝及び８つのうねを備える、請求項６４に記載の鍵掛けシステム。
【請求項６６】
前記コネクタ・プラグが切欠部及びモジュールをさらに備え、前記空洞が前記モジュール内に形成され、前記切欠部が前記モジュールを受けるようになされている、請求項４４に記載の鍵掛けシステム。
【請求項６７】
前記モジュールを複数のあらかじめ定められた角度の１つで、前記切欠部内に挿入することができる、請求項６６に記載の鍵掛けシステム。
【請求項６８】
前記切欠部が正方形である、請求項６６に記載の鍵掛けシステム。
【請求項６９】
前記コネクタ・プラグがＬＣ型コネクタ・プラグであり、前記レセプタクル・ソケットがＬＣ型コネクタ・プラグを受けるようになされている、請求項４４に記載の鍵掛けシステム。
【請求項７０】
前記コネクタ・プラグがＳＣ型コネクタ・プラグであり、前記レセプタクル・ソケットがＳＣ型コネクタ・プラグを受けるようになされている、請求項４４に記載の鍵掛けシステム。
【請求項７１】
前記コネクタ・プラグがＭＵ型コネクタ・プラグであり、前記レセプタクル・ソケットがＭＵ型コネクタ・プラグを受けるようになされている、請求項４４に記載の鍵掛けシステム。
【請求項７２】
前記コネクタ・プラグがＦＣ型コネクタ・プラグであり、前記レセプタクル・ソケットがＦＣ型コネクタ・プラグを受けるようになされている、請求項４４に記載の鍵掛けシステム。
【請求項７３】
前記光ファイバがフェルール内に保持され、前記ボスがその中に開口部をさらに備え、前記ボスを前記空洞内に挿入するとき、前記開口部が前記フェルールを受けるようになされている、請求項４４に記載の鍵掛けシステム。
【請求項７４】
前記フェルールが前記空洞と同軸であり、前記開口部が前記ボスと同軸である、請求項７３に記載の鍵掛けシステム。
【請求項７５】
第１の光ファイバと第２の光ファイバとの間の選択的な相互接続を可能にするためのシステムであって、前記システムが、
背中合わせのレセプタクル・ソケットの対を備えるレセプタクルであって、前記ソケットのそれぞれが複数のあらかじめ定められたレセプタクル鍵掛け形状のうちの１つに形状が決められているレセプタクルと、
前記第１の光ファイバを終端させる第１のコネクタ・プラグであって、前記プラグが前記背中合わせのレセプタクル・ソケットの１番目内に挿入するようになされ、前記プラグが複数のあらかじめ定められたコネクタ鍵掛け形状のうちの１つに形状が決められている第１のコネクタ・プラグと、
前記第２の光ファイバを終端させる第２のコネクタ・プラグであって、前記プラグが前記背中合わせのレセプタクル・ソケットの２番目内に挿入するようになされ、前記プラグが複数のあらかじめ定められたコネクタ鍵掛け形状のうちの１つに形状が決められている第２のコネクタ・プラグとを備え、
前記あらかじめ定められたコネクタ鍵掛け形状の少なくとも１つが、前記あらかじめ定められたレセプタクル鍵掛け形状の少なくとも１つと一致し、
前記第１のソケットの前記レセプタクル鍵掛け形状が前記第１のプラグの前記コネクタ鍵掛け形状に対応し、前記第２のレセプタクル・ソケットの前記レセプタクル鍵掛け形状が前記第２のプラグの前記コネクタ鍵掛け形状に対応するとき、前記第１の光ファイバを前記第２の光ファイバと軸方向に整列するようにさせて、前記第１のプラグを前記第１のソケット内に挿入することができ、前記第２のプラグを前記第２のソケット内に挿入することができる、システム。
【請求項７６】
前記コネクタ・プラグのそれぞれが前記複数のあらかじめ定められたコネクタ鍵掛け形状のうちの１つに形状が決められているその前方端部内に形成された空洞と前記光ファイバのそれぞれの１つを安定させるためのフェルールを備え、前記ソケットのそれぞれがその後面壁に配置され、前記複数のあらかじめ定められたレセプタクル鍵掛け形状のうちの１つに形状が決められているボスを受ける高くしたフェルールを備え、前記ボスが、前記ボスが前記空洞内に挿入されたとき、その中に前記フェルールのうちの１つを受けるようになされた開口部を備え、前記開口部がその間の通路を画成する、請求項７５に記載のシステム。
【請求項７７】
前記コネクタ・プラグがそれらのそれぞれのソケット内に挿入されるとき、前記第１の光ファイバの暴露された端部及び前記第２の光ファイバの暴露された端部が実質的に接触するようにされる、請求項７５に記載のシステム。
【請求項７８】
前記フェルールのそれぞれがそれらのそれぞれの空洞と同軸であり、前記開口部が前記ボスと同軸である、請求項７６に記載のシステム。
【請求項７９】
前記暴露された端部のうちの少なくとも１つが、そのそれぞれのコネクタ・プラグ内で通常の前方位置から挿入方向で移動可能であり、前記コネクタ・プラグがそれらのそれぞれのソケット内に挿入されるとき、前記暴露された端部同士が接触し、それによって前記暴露された端部同士の接触を維持しながら、少なくとも１つの移動可能な暴露された端部を前記通常の前方位置から離れさせる、請求項７７に記載のシステム。
【請求項８０】
前記移動可能な暴露された端部が前記光ファイバと同軸に配置されるばねによって通常前方に付勢される、請求項７９に記載のシステム。
【請求項８１】
第１及び第２の光ファイバ・ケーブルの間の選択的な相互接続を可能にするためのレセプタクルであって、それぞれのケーブルが複数のあらかじめ定められたコネクタ鍵掛け形状のうちの１つを有するコネクタ・プラグを備え、前記レセプタクルが、
背中合わせのレセプタクル・ソケットの対であって、前記ソケットのそれぞれが複数のあらかじめ定められたレセプタクル鍵掛け形状のうちの１つに対応する形を有する、背中合わせのレセプタクル・ソケットの対を備え、
前記コネクタ鍵掛け形状のそれぞれは、前記あらかじめ定められたレセプタクル鍵掛け形状のうちの１つに対応し、
前記背中合わせのレセプタクル・ソケットの１番目の前記レセプタクル鍵掛け形状が、前記第１のケーブルの前記コネクタ・プラグの前記コネクタ鍵掛け形状に対応するとき、且つ、前記背中合わせのレセプタクル・ソケットの２番目の前記レセプタクル鍵掛け形状が、前記第２のケーブルの前記コネクタ・プラグの前記コネクタ鍵掛け形状に対応するとき、前記第１のケーブルの前記コネクタ・プラグを前記第１のソケット内に挿入することができ、前記第２のケーブルの前記コネクタ・プラグを前記第２のソケット内に挿入することができ、それによって前記第１及び第２のケーブルを相互接続させる、レセプタクル。
【請求項８２】
前記光ファイバ・ケーブルがそれぞれ、光ファイバを備え、前記レセプタクルが前記第１及び第２の背中合わせのソケットの間の通路をさらに備え、そのソケット内に前記光ファイバが挿入される、請求項８１に記載のレセプタクル。
【請求項８３】
前記第１及び第２の背中合わせのソケットの前記レセプタクル鍵掛け形状が同一である、請求項８１に記載のレセプタクル。
【請求項８４】
前記コネクタ・プラグのそれぞれが前記光ファイバのそれぞれ１つを安定させるためのフェルールを備え、前記ソケットのそれぞれがその後面壁に配置され、前記複数のあらかじめ定められたレセプタクル鍵掛け形状のうちの１つに形状が決められているボスを受ける高くしたフェルールをさらに備え、前記プラグのそれぞれが前記複数のあらかじめ定められたコネクタ鍵掛け形状のうちの１つに形状が決められているその前方端部内に形成された空洞を備え、前記ボスのそれぞれが、前記ボスが前記空洞内に挿入されたとき、その中に前記フェルールのうちの１つを受けるようになされた開口部をさらに備え、前記開口部がその間の通路を画成する、請求項８１に記載のレセプタクル。
【請求項８５】
前記ソケットのそれぞれが、その中に配置され、前記複数のあらかじめ定められたレセプタクル鍵掛け形状のうちの１つに形状が決められている高くしたボスを備え、前記コネクタ・プラグのそれぞれが前記複数のあらかじめ定められたコネクタ鍵掛け形状のうちの１つに形状が決められているその中の前方端部内に形成される空洞を備える、請求項８１に記載のレセプタクル。
【請求項８６】
第１の光ファイバと第２の光ファイバとの間の相互接続を可能にするためのシステムであって、前記システムが、
背中合わせのレセプタクル・ソケットの対を備えるレセプタクルであって、前記ソケットの１番目が複数のあらかじめ定められたレセプタクル鍵掛け形状のうちの１つに形状が決められているレセプタクルと、
前記第１の光ファイバを終端させる第１のコネクタ・プラグであって、前記プラグが前記第１のソケット内に挿入するようになされ、前記プラグが複数のあらかじめ定められたコネクタ鍵掛け形状のうちの１つに形状が決められている、第１のコネクタ・プラグと、
第２の光ファイバを終端させる第２のコネクタ・プラグであって、前記プラグが前記背中合わせのレセプタクル・ソケットの２番目に挿入される、第２のコネクタ・プラグとを備え、
前記あらかじめ定められたコネクタ鍵掛け形状の少なくとも１つが、前記あらかじめ定められたレセプタクル鍵掛け形状の少なくとも１つと一致し、
前記第１のレセプタクル・ソケットのレセプタクル鍵掛け形状が前記第１のプラグの前記コネクタ鍵掛け形状に対応するとき、前記第１の光ファイバを前記第２の光ファイバと軸方向に整列するようにさせて、前記第１のプラグを前記第１のソケット内に挿入することができる、システム。
【請求項８７】
前記第１のソケットがその後面壁に配置され、前記複数のあらかじめ定められたレセプタクル鍵掛け形状のうちの１つに形状が決められているボスを受ける第１の高くしたフェルールを備え、前記第１のプラグが前記複数のあらかじめ定められたコネクタ鍵掛け形状のうちの１つに形状が決められているその前方端部内に形成された第１の空洞を備え、前記第２のソケットがその後面壁に配置されたボスを受ける第２の高くしたフェルールを備え、前記第２のプラグがその前方端部内に形成された空洞を備える、請求項８６に記載のシステム。
【請求項８８】
前記コネクタ・プラグがそれらのそれぞれのソケット内に挿入されるとき、前記第１の光ファイバの暴露された端部及び前記第２の光ファイバの暴露された端部が実質的に接触するようにされる、請求項８６に記載のシステム。
【請求項８９】
前記コネクタ・プラグのそれぞれが前記光ファイバのそれぞれ１つを安定させるためのフェルールをさらに備え、前記ボスのそれぞれが、前記ボスが前記空洞内に挿入されたとき、その中に前記フェルールのうちの１つを受けるようになされた開口部をさらに備え、前記開口部がその間の通路を画成する、請求項８８に記載のシステム。
【請求項９０】
前記フェルールのそれぞれがそれらのそれぞれの空洞と同軸であり、前記開口部が前記ボスと同軸である、請求項８９に記載のシステム。
【請求項９１】
第１及び第２の光ファイバ・ケーブルの間の相互接続を可能にするためのレセプタクルであって、前記第１のケーブルが複数のあらかじめ定められたコネクタ鍵掛け形状のうちの１つを有するコネクタ・プラグを備え、前記レセプタクルが、
第１及び第２の背中合わせのレセプタクル・ソケットであって、前記第１のソケットが複数のあらかじめ定められたレセプタクル鍵掛け形状のうちの１つに対応する形を有する、第１及び第２の背中合わせのレセプタクル・ソケットを備え、
前記コネクタ鍵掛け形状のそれぞれは、前記あらかじめ定められたレセプタクル鍵掛け形状のうちの１つに対応し、
前記第２のケーブルのコネクタ・プラグを前記第２のレセプタクル・ソケットに挿入することができ、
前記第２のケーブルの前記コネクタ・プラグを前記第２のソケット内に挿入することができ、前記第１のレセプタクル・ソケットの前記レセプタクル鍵掛け形状が前記第１のケーブルの前記コネクタ・プラグの前記コネクタ鍵掛け形状に対応するとき、前記第１のケーブルの前記コネクタ・プラグを前記第１のソケット内に挿入することができ、それによって前記第１及び第２のコネクタ・プラグを相互接続させる、レセプタクル。
【請求項９２】
前記光ファイバ・ケーブルがそれぞれ、光ファイバを備え、前記レセプタクルが前記第１及び第２の背中合わせのソケットの間の通路をさらに備え、そのソケット内に前記光ファイバが挿入される、請求項９１に記載のレセプタクル。